(57)【要約】【課題】  前後面を有し、後面が装用者の目にフィットするベースカーブを有する多焦点コンタクトレンズを提供する。【解決手段】  前面は実質的球状でありかつベースカーブと共に装用者の近視を矯正するために選択された中央ゾーン力を生じる円形中央ゾーンを有する。前面は更に実質的球状でありかつベースカーブと共に中央ゾーン力よりも小さい外ゾーン力を生じる外環状ゾーンを有する。前面は更に、中央ゾーンと外ゾーンとの中間に環状領域を含み、一つまたはそれ以上の連続的中間環状ゾーンを有し、各ゾーンは実質的球状である。一つまたはそれ以上の中間環状ゾーンはそれぞれ中央ゾーンから環状外ゾーンへ減少する単一変化の一つまたはそれ以上の中間ゾーン屈折力を生じる。【選択図】      図１
2005062805.tif 000002
【特許請求の範囲】
【請求項１】
前後面を有する透明材料によるコンタクトレンズであって、
前記後面はコンタクトレンズ装用者の目にフィットするベースカーブを有し、かつ
前記前面は、
実質的球状でありかつ前記ベースカーブと共に装用者の近視を矯正するために選択された中央ゾーン屈折力を生じるように形成された円形中央ゾーン、
実質的球状でありかつ前記ベースカーブと共に中央ゾーン屈折力よりも小さい外ゾーン屈折力を生じるように形成された外環状ゾーン、ならびに
前記中央ゾーンおよび外環状ゾーンの中間にあって一つまたはそれ以上の連続的中間環状ゾーンを有し、
各前記中間環状ゾーンが、前記ベースカーブと共に、前記中央ゾーンから前記外環状ゾーンへ向かって屈折力が減少する単一変化を形成する一つまたはそれ以上の中間ゾーン屈折力を生じるように、形成されている、コンタクトレンズ。
【請求項２】
表Ｉ，ＩＩ，ＩＩＩ，ＩＶ，Ｖ，およびＶＩ（表１〜２４）に記載のいずれかの例による寸法を有する、請求項１のコンタクトレンズ。
【表１】
2005062805.tif 000031
【表２】
2005062805.tif 000032
【表３】
2005062805.tif 000033
【表４】
2005062805.tif 000034
【表５】
2005062805.tif 000035
【表６】
2005062805.tif 000036
【表７】
2005062805.tif 000037
【表８】
2005062805.tif 000038
【表９】
2005062805.tif 000039
【表１０】
2005062805.tif 000040
【表１１】
2005062805.tif 000041
【表１２】
2005062805.tif 000042
【表１３】
2005062805.tif 000043
【表１４】
2005062805.tif 000044
【表１５】
2005062805.tif 000045
【表１６】
2005062805.tif 000046
【表１７】
2005062805.tif 000047
【表１８】
2005062805.tif 000048
【表１９】
2005062805.tif 000049
【表２０】
2005062805.tif 000050
【表２１】
2005062805.tif 000051
【表２２】
2005062805.tif 000052
【表２３】
2005062805.tif 000053
【表２４】
2005062805.tif 000054
【請求項３】
前記単一変化は前記中央ゾーン屈折力および前記外ゾーン屈折力を条件として、一つまたはそれ以上の中間ゾーン屈折力の値を与える代数式関数により形成されるスムーズ変化を含む、請求項１または２のコンタクトレンズ。
【請求項４】
前記単一変化は実質的直線変化を含む、請求項１から３のいずれか１のコンタクトレンズ。
【請求項５】
前記円形中央ゾーンは略２．５ｍｍの直径を有する、請求項１のコンタクトレンズ。
【請求項６】
前記外環状ゾーンは略４．５ｍｍの内径および略９ｍｍの外径を有する、請求項１から５のいずれか１のコンタクトレンズ。
【請求項７】
前記単一変化は幾何学的変化または対数的変化から選択された変化を含む、請求項１から６のいずれか１のコンタクトレンズ。
【請求項８】
前記ベースカーブは単一曲率半径の球状カーブを含む、請求項１から７のいずれか１のコンタクトレンズ。
【請求項９】
前記ベースカーブは二つの異なる曲率半径の円環状カーブを含む、請求項１から８のいずれか１のコンタクトレンズ。
【請求項１０】
前記ゾーン間のエッジは実質的シャープな半径移行を含む、請求項１から９のいずれか１のコンタクトレンズ。
【請求項１１】
前記シャープな半径移行は前記コンタクトレンズに成形プロセスを加えることにより実質的に形成されたものである、請求項１０のコンタクトレンズ。
【請求項１２】
一つまたはそれ以上の中間環状ゾーンは二つまたはそれ以上の環状ゾーンを含み、かつ二つまたはそれ以上の中間ゾーンは略同一幅を有する、請求項１から９のいずれか１のコンタクトレンズ。
【請求項１３】
前記同一幅は略０．５ｍｍの値を有する、請求項１２のコンタクトレンズ。
【請求項１４】
前記外ゾーン屈折力は、前記中央ゾーン屈折力よりも小さい略１ジオプトリと略２．５ジオプトリ間にある、請求項１から９のいずれか１のコンタクトレンズ。
【請求項１５】
前記外ゾーン屈折力は、前記中央ゾーン屈折力よりも小さい略１．２５ジオプトリと略２．００ジオプトリ間の一つである、請求項１４のコンタクトレンズ。
【請求項１６】
コンタクトレンズ装用者の目にフィットするベースカーブを有する後面を透明材料上に形成し、かつ
前面を前記透明材料上に形成することを含み、
前記前面が実質的球状でありかつ前記ベースカーブと共に装用者の近視を矯正するために選択された中央ゾーン屈折力を生じる円形中央ゾーン、
実質的球状でありかつ前記ベースカーブと共に前記中央ゾーン屈折力よりも小さい外ゾーン屈折力を生じる外環状ゾーン、および
前記中央ゾーンおよび外環状ゾーンの中間にあって一つまたはそれ以上の連続的中間環状ゾーンを有する環状領域を含み、
各前記中間環状ゾーンが実質的球状であって、前記ベースカーブと共に前記中央ゾーンから前記外環状ゾーンへ向かって屈折力が減少する単一変化を形成する一つまたはそれ以上の中間ゾーン屈折力を生じる、コンタクトレンズ形成方法。
【請求項１７】
表Ｉ，ＩＩ，ＩＩＩ，ＩＶ，Ｖ，およびＶＩ（表１〜２４）に記載のいずれか一つの例による寸法を有する、請求項１６の方法。
【請求項１８】
前記単一変化は前記中央ゾーン屈折力および前記外ゾーン屈折力を条件として、一つまたはそれ以上の中間ゾーン屈折力の値を与える代数式関数により形成されるスムーズ変化を含む、請求項１６または１７の方法。
【請求項１９】
前記単一変化は実質的直線変化を含む、請求項１６から１８のいずれか１の方法。
【請求項２０】
前記円形中央ゾーンは略２．５ｍｍの直径を有する、請求項１６から１９のいずれか１の方法。
【請求項２１】
前記外環状ゾーンは略４．５ｍｍの内径および略９ｍｍの外径を有する、請求項１６から２０のいずれか１の方法。
【請求項２２】
前記単一変化は幾何学的変化または対数的変化から選択された変化を含む、請求項１６か２１のいずれか１の方法。
【請求項２３】
前記ベースカーブは単一曲率半径の球状カーブを有する、請求項１６から２２のいずれか１の方法。
【請求項２４】
前記ベースカーブは二つの異なる曲率半径の円環状カーブを有する、請求項１６から２３のいずれか１の方法。
【請求項２５】
前記前面を形成することは、前記ゾーン間に実質的シャープな半径移行を持つエッジを形成することを含む、請求項１６から２４のいずれか１の方法。
【請求項２６】
前記シャープな半径移行は前記コンタクトレンズに成形プロセスを加えることにより実質的に形成される、請求項２５の方法。
【請求項２７】
一つまたはそれ以上の中間環状ゾーンは二つまたはそれ以上の環状ゾーンを含み、かつ二つまたはそれ以上の中間ゾーンは略同一幅を有する、請求項１６から２４のいずれか１の方法。
【請求項２８】
前記同一幅は略０．５ｍｍの値を有する、請求項２７の方法。
【請求項２９】
前記外ゾーン屈折力は、前記中央ゾーン屈折力よりも小さい略１ジオプトリと略２．５ジオプトリ間にある、請求項１６から２４のいずれか１の方法。
【請求項３０】
前記外ゾーン屈折力は、前記中央ゾーン屈折力よりも小さい略１．２５ジオプトリと略２．００ジオプトリ間の一つである、請求項２９の方法。
【発明の詳細な説明】
【技術分野】
【０００１】
本発明は概ねコンタクトレンズ、特に具体的には多焦点（multifocal)コンタクトレンズに関する。
【背景技術】
【０００２】
正常視力の人は、無限から近点、典型的には目から２５ｃｍまたはそれ以下のオーダで、物体上に焦点を結ぶように調節される。老眼者はかかる大きな範囲にわたって調節する能力を喪失し、かつ典型的には二つの矯正を必要とする。無限に焦点を合わせるための遠距離矯正、および焦点を物体に合わせる（近い物体に焦点を合わせる）ための近距離矯正を必要とする。目によって一般的には相違する矯正が、通常は、１／４ジオプトリで処方され、かつ遠近両方の矯正のために略＋８から−８ジオプトリ間の範囲で処方される。
【０００３】
多焦点眼鏡は、一つのレンズの分離領域に、各目に二つの矯正、および中間矯正を提供する。かかる眼鏡では眼鏡レンズが目に対して相対的に固定され、眼鏡装用者は遠距離物体をレンズの相対的高部から見、かつ近距離物体をレンズの相対的下部から見る。
【０００４】
単一レンズで特定の目を矯正する多焦点コンタクトレンズが当分野で既知である。しかし、眼鏡レンズと異なり、コンタクトレンズは目の運動と共に移動する。従って、当分野で既知の多焦点コンタクトレンズは、老眼者が遠近両距離の物体を見得るように適正に矯正するには、複数の異なるシステムを使用する。不運にも、これらのシステムのいずれもが使用者に十分に受け入れられていない。
【０００５】
Mercureに対する米国特許第５，１２５，７２９号は、非球形環状領域により囲繞される球状円形中央領域を前面上に有するレンズを記載する。その内容はここに参照される。中央領域は遠視に対応可能である。非球形環状領域は読書を含む全距離の視野を可能にする。
【０００６】
Seidner他に対する米国特許第５，５２６，０７１号は、コンタクトレンズの診断を記載する。その内容はここに参照される。オーバーリフラクションプロセス（over-refraction process)を含む診断後に、患者には処方レンズが装着される。処方レンズは二つの非球形前環状面を有し、中間視力が調節されなければならない場合には、三つ（またはそれ以上）の非球形前面を有する。遠視領域はレンズの中央領域であり、かつ近視領域はレンズの前面の周囲内の環状領域の一つである。
【０００７】
Seidner他に対する米国特許第５，６１９，２８２号および同第５，６９１，７９７号は、約１．５〜２．５ｍｍの直径および約−０．８の偏心を有し、遠視矯正のために非球形前中央面を有するレンズを記載する。その内容は参考としてここに組み込まれる。中央面を囲繞する第一環状面は非球形でありかつ２．０〜３．５ｍｍの直径を有する。他の環状面は約２．３〜４．０ｍｍの直径を有しかつ球形または非球形であってよい。
【０００８】
Rehse他に対する米国特許第５，７５４，２７０号は、距離力矯正に等しいジオプトリ力に加えて、中心から外方へ２．５〜２．２５ジオプトリの範囲の付加的力を加えた非球形光学中央ゾーンを有するレンズを記載する。中心ゾーンと同心の第二「ブレンディング（blending)ゾーン」があり、これは約０〜０．２ｍｍの小距離、代表例として約０．０５ｍｍにわたり約−０．５〜約−１．２５ジオプトリの迅速な力シフトを提供する。
【０００９】
Dunnに対する米国特許第５，８６４，３７９号および同第６，５４０，３５３号は、約１．０〜２．５ｍｍ直径により近視のオーバー矯正、代表例として約２５％〜１００％まで球状円形中央領域を有するレンズを記載する。その内容はここに参考として組み入れられる。中央ゾーンは三つの非球形環状ゾーンにより囲繞される。第一の二つのゾーンは約０．５ｍｍの厚みを有し、第三ゾーンは約８ｍｍの外径を有する。
【００１０】
Sawano他に対する米国特許第６，０３０，０７７号および同第６，２６０，９６６号は第一コンスタント力を有する円形球状中央領域、非球状中間環状領域、および第二コンスタント力を有する球状外環状領域を持つレンズを記載する。中間領域の異なる部分の半径は、相互に対して平滑に接続する二つの反対の放物曲線から中央領域および外領域のコンスタント力に算定される。
【００１１】
Wadaに対する米国特許第６，１１６，７３５号は、近視および遠視矯正ゾーン間で変化するゾーンを有するレンズを記載する。その内容はここに参考として組み込まれる。代表例として四つのゾーンがある。中央近視ゾーンは略１〜２ｍｍ直径であり、かつ他のゾーンは約０．６３ｍｍの幅に等しい。
【００１２】
特定目用の多焦点コンタクトレンズの矯正は、典型的には、患者の目の遠近両方の矯正についての知識を必要とする。両矯正は典型的には１／４ジオプトリ内で処方されるので、多数の遠近組み合わせがあることを理解されたい。上述の幾つかを含む当分野で既知の或る多焦点レンズは種々の範囲の処方に適合すると主張するが、多焦点コンタクトレンズの改善に対するニーズがある。
【００１３】
【特許文献１】米国特許第５，１２５，７２９号、米国特許第５，５２６，０７１号、米国特許第５，６１９，２８２号、米国特許第５，６９１，７９７号、米国特許第５，７５４，２７０号、米国特許第５，８６４，３７９号、米国特許第６，５４０，３５３号、米国特許第６，０３０，０７７号、米国特許第６，２６０，９６６号、米国特許第６，１１６，７３５号
【発明の開示】
【発明が解決しようとする課題】
【００１４】
本発明の課題は、所定範囲の処方箋を有する人に使用されるコンタクトレンズを提供することにある。
【課題を解決するための手段】
【００１５】
本発明によるコンタクトレンズは、前後面を有する透明材料によるコンタクトレンズであって、
前記後面はコンタクトレンズ装用者の目にフィットするベースカーブを有し、かつ
前記前面は、
実質的球状でありかつ前記ベースカーブと共に装用者の近視を矯正するために選択された中央ゾーン屈折力を生じるように形成された円形中央ゾーン、
実質的球状でありかつ前記ベースカーブと共に中央ゾーン屈折力よりも小さい外ゾーン屈折力を生じるように形成された外環状ゾーン、ならびに
前記中央ゾーンおよび外環状ゾーンの中間にあって一つまたはそれ以上の連続的中間環状ゾーンを有し、
各前記中間環状ゾーンが、前記ベースカーブと共に、前記中央ゾーンから前記外環状ゾーンへ向かって屈折力が減少する単一変化を形成する一つまたはそれ以上の中間ゾーン屈折力を生じるように、形成されていることを特徴とする。
【００１６】
概説すれば、本発明による、多焦点コンタクトレンズ、または本明細書で多範囲(multirange)コンタクトレンズと呼ぶコンタクトレンズは、透明材料により形成され、前後面を有し、前記後面はコンタクトレンズ装用者の目にフィットするように形成されたベースカーブを有し、かつ前記前面は複数の同心球状ゾーンを有する。円形中央ゾーンは、中央ゾーンの屈折力が前記ベースカーブと共に装用者の近視を矯正するように形成される。外環状ゾーンは実質的球状でありかつ前記ベースカーブと共に中央ゾーン屈折力よりも小さい予備設定値である外ゾーン屈折力を生じるように形成される。一つまたはそれ以上の連続的中間環状ゾーンは、前記中央ゾーンおよび外環状ゾーンの中間に形成される。前記中間環状ゾーンは複数、好ましくは二つ形成される。更に好ましくは、複数の中間環状ゾーンは略同一幅を有する。
【００１７】
各前記中間環状ゾーンの屈折力は、中央ゾーン屈折力と外ゾーン屈折力間になるように構成され、各中間ゾーン屈折力は、全ゾーンの屈折力が単一変化を形成する、好ましくは直線状単一変化を形成するように設定される。
【００１８】
本発明の好適形態において、前記構成のコンタクトレンズは表１〜２４の表Ｉ，ＩＩ，ＩＩＩ，ＩＶ，Ｖ，およびＶＩに記載のいずれかの例による寸法を有する。
【００１９】
【表１】
2005062805.tif 000003
【００２０】
【表２】
2005062805.tif 000004
【００２１】
【表３】
2005062805.tif 000005
【００２２】
【表４】
2005062805.tif 000006
【００２３】
【表５】
2005062805.tif 000007
【００２４】
【表６】
2005062805.tif 000008
【００２５】
【表７】
2005062805.tif 000009
【００２６】
【表８】
2005062805.tif 000010
【００２７】
【表９】
2005062805.tif 000011
【００２８】
【表１０】
2005062805.tif 000012
【００２９】
【表１１】
2005062805.tif 000013
【００３０】
【表１２】
2005062805.tif 000014
【００３１】
【表１３】
2005062805.tif 000015
【００３２】
【表１４】
2005062805.tif 000016
【００３３】
【表１５】
2005062805.tif 000017
【００３４】
【表１６】
2005062805.tif 000018
【００３５】
【表１７】
2005062805.tif 000019
【００３６】
【表１８】
2005062805.tif 000020
【００３７】
【表１９】
2005062805.tif 000021
【００３８】
【表２０】
2005062805.tif 000022
【００３９】
【表２１】
2005062805.tif 000023
【００４０】
【表２２】
2005062805.tif 000024
【００４１】
【表２３】
2005062805.tif 000025
【００４２】
【表２４】
2005062805.tif 000026
【００４３】
本発明の好適形態において、前記単一変化は前記中央ゾーン屈折力および前記外ゾーン屈折力を条件として、一つまたはそれ以上の中間ゾーン屈折力の値を与える代数式関数により形成されるスムーズ変化を含む。前記単一変化は実質的直線変化を含む。前記単一変化は幾何学的変化または対数的変化から選択された変化を含む。
【００４４】
本発明の好適形態において、前記円形中央ゾーンは略２．５ｍｍの直径を有し、前記外環状ゾーンは略４．５ｍｍの内径および略９ｍｍの外径を有する。
【００４５】
本発明の好適形態において、前記ベースカーブは単一曲率半径の球状カーブを含む。更に、前記ベースカーブは二つの異なる曲率半径の円環状カーブを含んでよい。
【００４６】
本発明の好適形態において、前記ゾーン間のエッジは実質的シャープな半径移行を含み、前記シャープな半径移行は前記コンタクトレンズに成形プロセスを加えることにより実質的に形成されたものであってよい。
【００４７】
本発明の好適形態において、一つまたはそれ以上の中間環状ゾーンは二つまたはそれ以上の環状ゾーンを含み、かつ二つまたはそれ以上の中間ゾーンは略同一幅を有する。前記同一幅は略０．５ｍｍの値であってよい。
【００４８】
本発明の好適形態において、前記外ゾーン屈折力は、前記中央ゾーン屈折力よりも小さい略１ジオプトリと略２．５ジオプトリ間にある。選択的に、前記外ゾーン屈折力は、前記中央ゾーン屈折力よりも小さい略１．２５ジオプトリと略２．００ジオプトリ間の一つであってよい。
【００４９】
本発明は、更に、コンタクトレンズ形成方法を提供し、本発明によるコンタクトレンズ形成方法は、コンタクトレンズ装用者の目にフィットするベースカーブを有する後面を透明材料上に形成し、かつ
前面を前記透明材料上に形成することを含み、
前記前面が実質的球状でありかつ前記ベースカーブと共に装用者の近視を矯正するために選択された中央ゾーン屈折力を生じる円形中央ゾーン、
実質的球状でありかつ前記ベースカーブと共に前記中央ゾーン屈折力よりも小さい外ゾーン屈折力を生じる外環状ゾーン、および
前記中央ゾーンおよび外環状ゾーンの中間にあって一つまたはそれ以上の連続的中間環状ゾーンを有する環状領域を含み、
各前記中間環状ゾーンが実質的球状であって、前記ベースカーブと共に前記中央ゾーンから前記外環状ゾーンへ向かって屈折力が減少する単一変化を形成する一つまたはそれ以上の中間ゾーン屈折力を生じるように、形成されることを特徴とする。
【００５０】
本発明によるコンタクトレンズ形成方法において、好適には、前記コンタクトレンズは表１〜２４の表Ｉ，ＩＩ，ＩＩＩ，ＩＶ，Ｖ，およびＶＩに記載のいずれか一つの例による寸法を有する。
【００５１】
本発明によるコンタクトレンズ形成方法において、好適には、前記単一変化は前記中央ゾーン屈折力および前記外ゾーン屈折力を条件として、一つまたはそれ以上の中間ゾーン屈折力の値を与える代数式関数により形成されるスムーズ変化を含む。
【００５２】
本発明によるコンタクトレンズ形成方法において、選択的に、前記単一変化は実質的直線変化を含み、また前記単一変化は幾何学的変化と対数的変化から選択された変化を含んでよい。
【００５３】
本発明によるコンタクトレンズ形成方法において、好適には、前記円形中央ゾーンは略２．５ｍｍの直径を有し、前記外環状ゾーンは略４．５ｍｍの内径および略９ｍｍの外径を有する。
【００５４】
本発明によるコンタクトレンズ形成方法において、好適には、前記ベースカーブは単一曲率半径の球状カーブを有する。選択的に、前記ベースカーブは二つの異なる曲率半径の円環状カーブを有する。
【００５５】
本発明によるコンタクトレンズ形成方法において、好適には、前記前面を形成することは、前記ゾーン間に実質的シャープな半径移行を持つエッジを形成することを含む。前記シャープな半径移行は前記コンタクトレンズに成形プロセスを加えることにより実質的に形成されてよい。
【００５６】
本発明によるコンタクトレンズ形成方法において、好適には、一つまたはそれ以上の中間環状ゾーンは二つまたはそれ以上の環状ゾーンを含み、かつ二つまたはそれ以上の中間ゾーンは略同一幅を有する。前記同一幅は略０．５ｍｍの値を有してよい。
【００５７】
本発明によるコンタクトレンズ形成方法において、好適には、前記外ゾーン屈折力は、前記中央ゾーン屈折力よりも小さい略１ジオプトリと略２．５ジオプトリ間にある。選択的に、前記外ゾーン屈折力は、前記中央ゾーン屈折力よりも小さい略１．２５ジオプトリと略２．００ジオプトリ間の一つである。
【発明の効果】
【００５８】
本発明による多焦点または多範囲コンタクトレンズは所定範囲の距離（distance）処方箋を持つ装用者に良好な距離矯正を提供する。
【発明を実施するための最良の形態】
【００５９】
図１を参照すると、（Ａ）は本発明の好適形態による多焦点コンタクトレンズ１０の概略断面を示し、（Ｂ）はその上面を示す。多焦点コンタクトレンズ１０は本明細書において多範囲（multirange)レンズ１０とも称する。レンズ１０は好適には、コンタクトレンズ製造に使用されるものとして当分野で既知であり、かつ代表的には「ソフト」コンタクトレンズの製造に使用されるMethafilcon A等の水和可能透明材料から形成されるのが最も好適である。選択的に、レンズ１０は、「ハード」コンタクトレンズの製造用として当分野で既知の材料等、コンタクトレンズを製造するのに適したガラスまたはプラスチックによる他の透明材料により製造できる。
【００６０】
製造後に、レンズ１０の寸法（dimensions)は、典型的には、レンズ材料が水和するときに、「ウエット（wet)」寸法に変化する。このウエット寸法は通常使用時のレンズの大きさである。他に説明しない限り、以下に記載するレンズ１０の寸法はウエット寸法である。
【００６１】
レンズ１０は、レンズの使用者の目にフィットするベースカーブに形成される近接面または内面２２を有する。他に説明する場合を除き、ベースカーブは、ここでは、略８．８ｍｍの単一ベースカーブ半径を有するカーブと仮定されている。典型例として、略０．５ｍｍの幅の環状レリーフ２７が目への容易装用を目的としてベースカーブに形成される。
【００６２】
レンズ１０の遠方面または外面１２は、装用者の目に対する光学的矯正を提供する複数、好適には四つの球状ゾーンを有する。外面１２は、更に、光学ゾーンに対する実質的光学的不活性キャリアとして作用し、かつ代表例としてレンズ１０の全直径に対応する略１４．２ｍｍの外径を有する他のゾーン２０を含む。外エッジ２６を有する円形中央ゾーン２４は、略２．５ｍｍの直径Ｄ１を有するのが好ましい。中央ゾーンの球状半径Ｒ１は、中央ゾーンの半径およびベースカーブの球状半径の関数である中央ゾーン屈折力Ｐ１が実質的にコンスタントでありかつレンズ装用者の近視矯正に略等しくなるような値を有する。
【００６３】
外面１２の外環状ゾーン１８は、略４．５ｍｍの内径Ｄ３を有し、かつ略９ｍｍの外径Ｄ４を有する。外環状ゾーンは、ベースカーブと共に採用される場合に、中央ゾーン力Ｐ１よりも小さい予備設定された値である外ゾーン屈折力Ｐ４を生じる外ゾーン球状半径Ｒ４を有するように形成される。最も好適には、予備設定された値は略１ジオプトリと略２．５ジオプトリ間の値である。
【００６４】
中央ゾーン２４と外環状ゾーン１８間には二つの中間環状ゾーンがあり、その各々は略０．５ｍｍの幅を有することが好適である。外エッジ２８を有する第一中間ゾーン１４は中央ゾーン２４と連続的であり、かつ略３．５ｍｍの外径Ｄ２を有する。中間ゾーン１４は第一中間ゾーン球形半径Ｒ２を有し、これはベースカーブ半径と共に採用される場合にＰ２の第一中間ゾーン力を生じる。外エッジ３０を有する第二中間ゾーン１６は第一中間ゾーン１４および外環状ゾーン１８と連続的である。中間ゾーン１６は第二中間ゾーン球形半径Ｒ３を有するように形成され、ベースカーブ半径と共に採用される場合に、Ｐ３の第二中間ゾーン力を生じる。
【００６５】
力Ｐ２およびＰ３は、Ｐ１，Ｐ２，Ｐ３およびＰ４が単一変化（monotonic progression)、好適には変化がＰ１およびＰ４を条件にしてＰ２，Ｐ３の値を与える代数式関数により形成されるような、相対的にスムーズな単調変化を形成する。本発明の幾つかの好適形態において、Ｐ２およびＰ３の力はＰ１およびＰ４の力の平均値であり、その平均値は、Ｐ１，Ｐ２，Ｐ３およびＰ４が実質的直線変化を形成するような単位であることが最も望ましい。従って、Ｐ２およびＰ３の力は次式に従って誘導されるのが最も好ましい。
【００６６】
【数１】
2005062805.tif 000027
【００６７】
【数２】
2005062805.tif 000028
【００６８】
例えば、Ｐ４がＰ１よりも小さい予備設定値が略１．２５ジオプトリである場合に、Ｐ１を条件とするＰ２，Ｐ３，およびＰ４の大凡の値は次により与えられる。
【００６９】
【数３】
2005062805.tif 000029
【００７０】
【数４】
2005062805.tif 000030
【００７１】
この場合において、＋６．２５ジオプトリの近視矯正を伴う老眼者に対して製作されるレンズ１０について、Ｐ１，Ｐ２，Ｐ３，およびＰ４の値はそれぞれ略＋６．２５Ｄｓ，＋５．８３Ｄｓ，＋５．４２Ｄｓ，および＋５．００Ｄｓである。
【００７２】
（１）から（４）の式は、Ｐ１，Ｐ２，Ｐ３，およびＰ４の変化が実質的直線変化である場合にＰ２およびＰ３に適用することを表す。当業者であれば、Ｐ１，Ｐ２，Ｐ３，およびＰ４が対数的または幾何学的変化等の他のタイプの単一変化について、Ｐ１およびＰ４を基礎にしてＰ２およびＰ３の式を誘導できるであろう。
【００７３】
各ゾーンの屈折力は、各ゾーンをそれぞれＲ１，Ｒ２，Ｒ３，およびＲ４の曲率半径により構成することによって形成される。添付の表ＩからＶＩはＰ１に対応する異なる近視矯正（Ｎ）に対してＲ１，Ｒ２，Ｒ３，およびＲ４の値を付与する。発明者はその値が（１）および（２）式に対応する力を実際に付与することを知見している。表中の値は８．５，８．７３２，および９．１ｍｍの半径を有する内面２２のベースカーブに関するものであり、かつ異なる変化（Ｐ１〜Ｐ４）は１．２５Ｄｓおよび２．００Ｄｓに等しい。表Ｉ−ＶＩ（表１〜２４に表示）は更に各レンズについての中心厚（Ｃ．Ｔ．）を表している。この中心厚は、レンズのエッジが０．１４ｍｍの厚みを有すると仮定して算定されている。
【００７４】
最も好適には、製造後に、レンズ１０をチエックしてゾーン２４、１４、１６および１８の力がそれぞれ処方された近視矯正、上記式（１）および（２）により与えられる値（その式を参照して直線変化が適用できる場合）、および予備値よりも小さい近視矯正に対応するかを確認する。必要であれば、特定ゾーンの球形半径を、その力が値に合致するように調整する。
【００７５】
本発明者は、１．２５ジオプトリの予備設定値に関して上記基準により製造する多範囲コンタクトレンズが、近視矯正よりも小さい略０．６から略２．８ジオプトリの遠視矯正範囲を持つ装用者に対して、略２５ｃｍから無限の距離において良好な視力を与えることを知見した。２．００ジオプトリの予備設定値に関して、遠視矯正範囲は略１．５から略４．００ジオプトリである。全予備設定値に関して、２ジオプトリよりも良好な遠視矯正範囲で良好な視力が生じる。
【００７６】
レンズ１０は、限定的でないが当分野で既知のコンタクトレンズ製造法、旋盤上で切断または成形することにより製造できる。更に好適には、ゾーン間半径移行、即ち、ゾーンエッジ２６，２８および３０は、実質的にシャープであり、かつレンズ１０の製造法は実質的シャープ変化を付与するように選択されるのが最も好ましい。結果として、特定ゾーン２４，１４，１６および１８において、各ゾーンは実質的コンスタント力を有するように形成される。本発明者は、成形方法が、適宜半径変化を付与することを知見した。選択により、レンズ１０は旋盤上で切断し、かつ続いて研磨することにより形成されてよい。
【００７７】
レンズ１０に関する上記説明は、中央ゾーン２４と外環状ゾーン１８間に二つの中間環状ゾーンがあると仮定されている。理解されるように、本発明の範囲は、二つ以上の任意数の中間環状ゾーンを含み、かかる中間ゾーンの力は中央ゾーン力および外環状ゾーン力と共に採用される場合に、単一変化を形成する。
【００７８】
本発明の好適形態において、近接面、即ち内面２２は、例えば、乱視を矯正するための、二つの力をそれぞれ生じる二つの異なる曲率半径を有する円環状レンズとして提供される。好適には、二つの曲率半径Ｒ１は、各力について算定され、かつその値はＲ１の実際の値になるように平均化される。同様の平均化手順がＲ２，Ｒ３，およびＲ４に適用されて使用できる実際値にされる。
【００７９】
理解されるように、上述の好適形態は、一例として説明されており、本発明は図示かつ上記説明に限定されない。むしろ、本発明の範囲は上述の異なる特徴の両方の組み合わせまたは一部の組み合わせを含み、かつ上記説明から当業者に想起されかつ当分野で開示されていない変更および改変を含む。
【図面の簡単な説明】
【００８０】
【図１】（Ａ）は本発明の好適形態による多焦点コンタクトレンズの概略断面を示し、（Ｂ）はその上面を示す図である。
【符号の説明】
【００８１】
１０…レンズ
１２…遠方面または外面または前面
１４…第一中間ゾーン
１６…第二中間ゾーン
１８…外環状ゾーン
２２…近接面または内面または後面
２４…円形中央ゾーン
２７…環状レリーフ
２６，２８，３０…エッジ
【図１】
2005062805.tif 000055